(57)【特許請求の範囲】
【請求項１】
監視制御装置にネットワーク接続されたホットスタンバイ方式のマイクロ波無線装置において、
前記監視制御装置に送信するために自装置内の監視情報を蓄積する送信バッファと、
送信機の切り替えが発生した場合に系選択情報を出力する手段と、
前記送信機の切り替え発生から、対向する無線装置の復調器が信号の同期処理を完了するまでに発生する事象を、前記送信バッファに蓄積する手段と、
前記復調器の同期処理の完了検出後に前記送信バッファに蓄積した事象を前記監視制御装置に通知する手段とを備えることを特徴とするホットスタンバイ方式マイクロ波無線装置。
【請求項２】
前記マイクロ波無線装置は、前記監視制御装置をＳＮＭＰ(Simple Network Management Protocol)マネージャーとして、前記マイクロ波無線装置をＳＮＭＰエージェントとして監視制御されることを特徴とする請求項１に記載のホットスタンバイ方式マイクロ波無線装置。
【請求項３】
監視制御装置にネットワーク接続されたホットスタンバイ方式のマイクロ波無線装置の監視制御方法であって、
送信機の切り替えが発生した場合に系選択情報を出力し、
前記送信機の切り替え発生から、対向する無線装置の復調器が信号の同期処理を完了するまでに発生する事象を、前記監視制御装置に送信するために自装置内の監視情報を蓄積する送信バッファに蓄積し、
前記復調器の同期処理の完了検出後に前記送信バッファに蓄積した事象を前記監視制御装置に通知する各ステップを含むことを特徴とするホットスタンバイ方式マイクロ波無線装置の監視制御方法。
【請求項４】
前記マイクロ波無線装置が、前記監視制御装置をＳＮＭＰマネージャーとして、前記マイクロ波無線装置をＳＮＭＰエージェントとして監視制御されることを特徴とする請求項３に記載のホットスタンバイ方式マイクロ波無線装置の監視制御方法。
【請求項５】
監視制御装置にネットワーク接続されたホットスタンバイ方式のマイクロ波無線装置の監視制御プログラムであって、
送信機の切り替えが発生した場合に系選択情報を出力する機能と、
前記送信機の切り替え発生から、対向する無線装置の復調器が信号の同期処理を完了するまでに発生する事象を、前記監視制御装置に送信するために自装置内の監視情報を蓄積する送信バッファに蓄積する機能と、
前記復調器の同期処理の完了検出後に前記送信バッファに蓄積した事象を前記監視制御装置に通知する機能とをコンピュータに実現させることを特徴とするホットスタンバイ方式マイクロ波無線装置の監視制御プログラム。
【請求項６】
前記マイクロ波無線装置が、前記監視制御装置をＳＮＭＰマネージャーとして、前記マイクロ波無線装置をＳＮＭＰエージェントとして監視制御される機能をコンピュータに実現させることを特徴とする請求項５に記載のホットスタンバイ方式マイクロ波無線装置の監視制御プログラム。
【発明の詳細な説明】
【技術分野】
【０００１】
本発明は、ホットスタンバイ方式を採用したマイクロ波無線装置の監視制御方法に関する。
【背景技術】
【０００２】
従来、複数の送信機を有して、１つの送信機に障害が発生した場合に、他の送信機に切り替えるホットスタンバイ方式マイクロ波無線装置がある。このホットスタンバイ方式マイクロ波無線装置の監視制御を、ネットワーク監視プロトコルを使用して監視制御を行うシステムについて、図３を参照して説明する。
【０００３】
なお、図３ではマイクロ波無線装置２から３方向への送受信の構成２ａ及び３ａを詳細に記載し、マイクロ波無線装置３から２方向への送受信の構成３ｂ及び２ｂを簡略化しているが、２ａ及び３ａと同様の構成となっている。
【０００４】
図３において、入力端１１に入力に入力された信号は、分配器１２により分配され、変調器１３ａ及び１３ｂに入力され、変調信号に変換される。その変調信号は、送信機１４ａ及び１４ｂに送られ、増幅される。送信切替器１５は、機器故障が発生していない系の増幅信号を選択し、出力する。その信号は、送信アンテナ１６から送出され、受信アンテナ１７により受信される。
【０００５】
受信された信号は、分配器１８により分配され、受信機１９ａ，１９ｂにより増幅され、復調器２０ａ，２０ｂに送られる。復調器２０ａ，２０ｂにより復調された信号は、受信切替器２１に送られ、機器故障状況及び回線品質の状態から、どちらかの系の信号を選択し、出力端２２に出力する。
【０００６】
監視制御盤３０は、自装置の警報の発生状況、運用状態を常に監視しており、監視制御装置とネットワーク監視プロトコルを使用して通信することにより、監視制御装置からの状態取得要求や制御要求にも応答する。一方、自装置において発生した事象については、通知事象情報４０として監視制御装置に通知する機能を有する。
【０００７】
また、切替器で選択されていない予備系の送信ユニットの出力周波数を、切替器で選択されている送信ユニットの出力波数から離れた値となるよう制御することによって、切替器のアイソレーションを少なくするマイクロ波多重無線装置におけるホットスタンバイ切替装置がある（例えば、特許文献１参照）。
【特許文献１】特開平０５−１７５８８１号公報
【発明の開示】
【発明が解決しようとする課題】
【０００８】
しかしながら、従来のホットスタンバイ方式マイクロ波無線装置の監視制御を、ネットワーク監視プロトコルを使用して監視制御を行うシステムにおいては、次のような課題がある。
【０００９】
送信切り替えの発生状況に関係なく、各装置において発生した事象を即通知してしまうため、送信切り替え発生から対向装置の復調器が信号の同期処理を完了するまでの間に通知された事象が喪失してしまうこととなる。
【００１０】
従来のホットスタンバイ方式マイクロ波無線装置の監視制御を行うシステムでは、送信切り替えの発生状況に関係なく、各装置において発生した事象を即通知してしまうため、送信切り替え発生から対向装置の復調器が信号の同期処理を完了するまでの間に通知された事象が喪失してしまうこととなる。
【００１１】
そこで本発明は、ホットスタンバイ方式マイクロ波無線装置の送信切り替えにより瞬断した場合でも、切り替えが発生した事象及び瞬断している間に発生した事象を確実に監視制御装置に対して通知可能とするホットスタンバイ方式マイクロ波無線装置及びその監視制御方法並びにその監視制御プログラムを提供することを目的とする。
【課題を解決するための手段】
【００１２】
上述の課題を解決するため、本発明は、監視制御装置にネットワーク接続されたホットスタンバイ方式のマイクロ波無線装置において、自装置の送信切り替えが発生した場合に、切り替え発生から対向無線装置の復調器が信号の同期処理を完了するまでの間に発生した事象を、監視制御盤の送信バッファに蓄積し、対向無線装置の復調器の信号の同期処理が完了した後に監視制御装置に対して事象を通知することを特徴とする。
【００１３】
以上の構成によって、ホットスタンバイ方式マイクロ波無線装置の送信切り替えが発生している間の事象を蓄積し、対向無線装置の復調器が信号の同期処理を完了した後に事象を通知することにより、監視制御装置に対して事象を確実に通知できる。
【発明の効果】
【００１４】
本発明は、監視制御装置にネットワーク接続されたホットスタンバイ方式マイクロ波無線装置において、送信切り替えが発生している間の事象を蓄積し、対向無線装置の復調器が信号の同期処理を完了した後に事象を通知するので、監視制御装置に対して事象を確実に通知できる。
【発明を実施するための最良の形態】
【００１５】
次に、本発明の最良の形態について図面を参照して説明する。
【００１６】
図１は、本発明によるホットスタンバイ方式マイクロ波無線装置の監視制御を行うシステム構成例が示されている。ネットワーク監視プロトコルには、例えばＳＮＭＰ(Simple Network Management Protocol)を使用する。監視制御装置１は、監視対象であるマイクロ波無線装置２，３，４，５，６，７と無線信号に多重された監視制御回線を通じて、監視制御装置をＳＮＭＰマネージャーとして、マイクロ波無線装置をＳＮＭＰエージェントとして通信を行う。これにより各無線装置において発生した警報情報の収集を行うとともに、各無線装置に対して各種制御を実行する。
【００１７】
ＳＮＭＰでは、ＵＤＰ(User Datagram Protocol)による以下の５種類のコマンドを用いて、マネージャーはエージェントから定期的にＭＩＢ(Management Information Base)の管理情報の報告を受けて管理する。
Get Request（マネージャー→エージェント）：管理情報の取得を要求する、
Get Next Request（マネージャー→エージェント）：次の管理情報の取得を要求する、
Get Response（エージェント→マネージャー）：要求された管理情報の内容を報告する、
Set Request（マネージャー→エージェント）：管理情報の変更を要求する、
Trap（エージェント→マネージャー）：自発的に管理情報の状態を通知する。
【００１８】
各マイクロ波無線装置は、メモリに格納された制御プログラムによって以下に説明する各機能を実現し、故障等の事象が発生した場合には自ら該当の事象を監視制御装置１に対して通知する（trapコマンド）機能を有する。
【００１９】
次に、各ホットスタンバイ方式マイクロ波無線装置の代表的な構成例について図２を用いて説明する。なお、図２ではマイクロ波無線装置２から３方向への送受信の構成２ａ及び３ａを詳細に記載し、マイクロ波無線装置３から２方向への送受信の構成３ｂ及び２ｂを簡略化しているが、２ａ及び３ａと同様の構成となっている。また、マイクロ波無線装置４及び５、６及び７についても同様な構成である。
【００２０】
図２において、入力端１１に入力に入力された信号は、分配器１２により分配され、変調器１３ａ及び１３ｂに入力され、変調信号に変換される。その変調信号は、送信機１４ａ及び１４ｂに送られ、増幅される。送信切替器１５は、機器故障が発生していない系の増幅信号を選択し、出力する。その信号は、送信アンテナ１６から送出され、受信アンテナ１７により受信される。
【００２１】
受信された信号は、分配器１８により分配され、受信機１９ａ，１９ｂにより増幅され、復調器２０ａ，２０ｂに送られる。復調器２０ａ，２０ｂにより復調された信号は、受信切替器２１に送られ、機器故障状況及び回線品質の状態から、どちらかの系の信号を選択し、出力端２２に出力する。
【００２２】
監視制御盤３０は、自装置の警報の発生状況、運用状態を常に監視しており、図１における監視制御装置１とＳＮＭＰ等のネットワーク監視プロトコルを使用して通信することにより、監視制御装置１からの状態取得要求や制御要求にも応答する。一方、自装置において発生した事象については、通知事象情報４０として監視制御装置１に通知する機能を有する。
【００２３】
さらに、監視制御盤３０では送信切替器１５の系選択情報４１を監視しており、送信切り替えが発生した場合には、切り替え発生から対向無線装置の復調器２０ａ，２０ｂが信号の同期処理を完了するまでに発生した事象を、送信バッファ３１に蓄積し、対向無線装置の復調器２０ａ，２０ｂの信号の同期処理の完了を検出すると、監視制御装置１に対して事象を通知する。
【００２４】
次に本発明の動作を、図１，２を参照して説明する。
【００２５】
各マイクロ波無線装置において、警報等の事象が発生した場合、監視制御盤３０は監視制御装置１に対して、trapコマンド等を利用して通知を行う。その通知は変調器１３ａ、１３ｂによって無線信号に多重される監視制御線を介して送信されることとなるが、本発明における無線装置はホットスタンバイ方式であるため、送信切替器１５により送信切り替えが発生し、対向装置の復調器２０ａ、２０ｂが切り替え後に信号の同期処理が完了するまでの間、瞬断してしまう。そのため、この瞬断中に監視制御装置１に通知すべき事象が発生した場合に、すぐに通知を行ってしまうと、その通知は監視制御装置１まで到達しないこととなる。
【００２６】
本発明では、送信切替器１５の系選択情報４１を監視制御盤３０が監視することにより、送信切り替えが発生した場合には、対向装置の復調器２０ａ、２０ｂが信号の同期処理を完了するまでの最大時間分、通知すべき事象の送信を止め、送信バッファ３１に蓄積する。信号の同期処理完了時間が経過したら、順次送信バッファに蓄積されている事象の通知を開始する。
【００２７】
なお、本実施形態では、対向無線装置の復調器が信号の同期処理を完了することを、予め設定された時間で検出する構成としたが、対向無線装置から復調器が信号の同期処理を完了した旨の同期処理完了信号を受けて、同期処理を検出する構成とすることもできる。
【産業上の利用可能性】
【００２８】
本発明は、複数の送信機を有して、１つの送信機に障害が発生した場合に、他の送信機に切り替える無線通信装置の監視制御システムに利用可能である。
【図面の簡単な説明】
【００２９】
【図１】本発明によるマイクロ波無線装置の監視制御システムの構成例を示す図である。
【図２】本発明によるマイクロ波無線装置の構成例を示す図である。
【図３】従来のマイクロ波無線装置の構成例を示す図である。
【符号の説明】
【００３０】
１  監視制御装置
２，３，４，５，６，７  マイクロ波無線装置
１１  入力端
１２  分配器
１３ａ，１３ｂ  変調器
１４ａ，１４ｂ  送信機
１５  送信切替器
１６  送信アンテナ
１７  受信アンテナ
１８  分配器
１９ａ，１９ｂ  受信機
２０ａ，２０ｂ  復調器
２１  受信切替器
２２  出力端
３０  監視制御盤
３１  監視制御盤の送信バッファ
４０  通知事象情報
４１  送信切替器の系選択情報
【図１】
0004462439.tif 000002
【図２】
0004462439.tif 000003
【図３】
0004462439.tif 000004